(57)【要約】【課題】光源の全照射範囲にわたって、人間の視感度に合った光を照射し、光源点灯後の視認性を向上することができる照明装置を提供する。【解決手段】照射範囲を複数に分割したエリア５１毎に光を照射し、光の波長構成を可変とする光源部１１を複数具備する照明部１と、エリア５１毎において、光源部１１が照射する光による明るさと、周辺光６による明るさとの和に基づき、光源部１１がエリア５１に照射する光の長波長成分と短波長成分との割合を演算する演算部３と、演算部３のエリア５１毎の演算結果に基づいて、光源部１１がエリア５１に照射する光の波長構成を制御する制御部４とを備える。【選択図】図１
2012028224.tif 000002
【特許請求の範囲】
【請求項１】
所定の範囲を複数に分割したエリア毎に光を照射し、当該光の波長構成を可変とする光源部を複数具備する照明部と、
前記エリア毎において、前記光源部が照射する光による第１の明るさと、周辺光による第２の明るさとの和に基づき、前記光源部が前記エリアに照射する光の長波長成分と短波長成分との割合を演算する演算部と、
前記演算部の前記エリア毎の演算結果に基づいて、前記光源部が前記エリアに照射する光の波長構成を制御する制御部とを備えることを特徴とする照明装置。
【請求項２】
前記エリア毎の明るさを検知する検知部を備え、
前記検知部は、前記エリア毎に、前記光源部が照射する光による前記第１の明るさと、周辺光による前記第２の明るさとの和を検出し、この検出結果を前記演算部に出力することを特徴とする請求項１記載の照明装置。
【請求項３】
前記エリア毎の明るさを検知する検知部と、
前記光源部が照射する光のみによる前記エリア毎の前記第１の明るさのデータを格納する記憶部とを備え、
前記検知部は、周辺光のみによる前記エリア毎の前記第２の明るさを検知して前記演算部に出力し、
前記演算部は、前記検知部の検知結果と、前記記憶部に格納された前記データとに基づいて、前記エリア毎に、前記光源部が照射する光による前記第１の明るさと、前記周辺光による前記第２の明るさとの和を導出することを特徴とする請求項１記載の照明装置。
【請求項４】
前記光源部は、色温度が高い高色温度光源と、前記高色温度光源に対して色温度が低い低色温度光源とで構成されており、
前記制御部は、前記演算部の演算結果に基づいて、前記高色温度光源および前記低色温度光源を調光制御することによって、前記光源部が照射する光の波長構成を制御することを特徴とする請求項１乃至３のいずれか１項に記載の照明装置。
【請求項５】
前記光源部は、色温度が高い高色温度光源と、前記高色温度光源に対して色温度が低い低色温度光源とで構成されており、
前記制御部は、前記演算部の演算結果に基づいて、前記高色温度光源と前記低色温度光源とのうち、いずれか一方のみを点灯させることで、前記光源部が照射する光の波長構成を制御することを特徴とする請求項１乃至３のいずれか１項に記載の照明装置。
【請求項６】
前記光源部は、複数の前記高色温度光源と、複数の前記低色温度光源とで構成されており、前記高色温度光源と前記低色温度光源とが交互に実装されていることを特徴とする請求項４または５記載の照明装置。
【請求項７】
前記照明部は、前記光源部が実装される実装面を有しており、
前記実装面は、曲面に形成されていることを特徴とする請求項１乃至６のいずれか１項に記載の照明装置。
【発明の詳細な説明】
【技術分野】
【０００１】
本発明は、照明装置に関するものである。
【背景技術】
【０００２】
従来、省エネや視認性向上を実現する装置として、光源の照射範囲の明るさを検知するセンサを備え、センサの検知結果を用いて、光源の出力レベルをフィードバック制御する照明装置が提案されている（例えば、特許文献１参照）。
【０００３】
特許文献１では、任意の場所に設置可能な輝度検出器により床面の明るさを常時監視している。そして、自然採光により必要な明るさが得られているエリアと、必要な明るさが得られていないエリアとを判別し、照明の点灯・消灯を自動的に制御している。
【０００４】
また、人の視感度は周辺の明るさによって変化することが知られている。人の網膜には、錐体と杆体の２種類の光センサーがある。明るい環境（以下、明所視と称す）では錐体が働き、暗い環境（以下、暗所視と称す）では杆体が働くことで、明るさを知覚することができる。さらに、薄暗い環境（以下、薄明視と称す）では、錐体と杆体との両方が働くことが知られている。
【０００５】
明所視，暗所視，薄明視では、人の網膜で働く光センサー（錐体，杆体）の違いから、明るさの視感度特性（分光視感効率）が光の波長毎に異なる。図１６に、明所視と暗所視とにおける分光視感効率を示す。図１６に示すように、明所視における分光視感効率Ｒ１のピーク波長は５５５ｎｍ、暗所視における分光視感効率Ｒ２のピーク波長は５０７ｎｍとなる。
【０００６】
例えば、昼間（明所視）と夜間（暗所視）とでは、明るく感じる光の色（見えやすい色）が異なる。昼間から夕方，夜間になるにつれて、明所視から薄明視，暗所視と変化するので、明るく感じる光も短波長側へ変化していく。
【０００７】
そこで、人間の視感度特性に基づいて、車両の前照灯が照射する光の色を変化させる前照灯装置が提案されている（例えば、特許文献２参照）。特許文献２の前照灯装置は、車両周囲の明るさを検知し、予め定められた低照度状態の場合には、青色成分（短波長成分）を増加させる。それによって、前照灯の光は、他の車両等からの被視認性が向上する。
【先行技術文献】
【特許文献】
【０００８】
【特許文献１】特開平７−２１８１４号公報
【特許文献２】特開２００７−１０６３４号公報
【発明の概要】
【発明が解決しようとする課題】
【０００９】
特許文献２の前照灯装置では、他の車両からの前照灯の被視認性は向上されるが、前照灯による照射範囲の視認性は考慮されていない。つまり、前照灯が点灯する前後で照射範囲の明るさが変化するので、目の視感度特性（順応状態）が変化する。
【００１０】
また、前照灯からの距離または周辺光などによって、前照灯による照射範囲内でも明るさが異なり、１つの光源で照射する範囲の明るさは不均一となる。そのため、照射範囲内でも目の順応状態は異なり、１箇所の明るさを検知して、光の出力レベルを決めるだけでは、良好な視環境実現には不十分である。
【００１１】
また、特許文献１では、エリアごとに自然光等による明るさを検知し、光の出力レベルを調整することで省エネを図っているが、光の波長構成を変動させていない。すなわち、特許文献１の照明装置は視感度について考慮されていない。
【００１２】
本発明は、上記事由に鑑みてなされたものであり、その目的は、光源の全照射範囲にわたって、人間の視感度に合った光を照射し、光源点灯後の視認性を向上することができる照明装置を提供することにある。
【課題を解決するための手段】
【００１３】
本発明の照明装置は、所定の範囲を複数に分割したエリア毎に光を照射し、当該光の波長構成を可変とする光源部を複数具備する照明部と、エリア毎において、光源部が照射する光による第１の明るさと、周辺光による第２の明るさとの和に基づき、光源部がエリアに照射する光の長波長成分と短波長成分との割合を演算する演算部と、演算部のエリア毎の演算結果に基づいて、光源部がエリアに照射する光の波長構成を制御する制御部とを備えることを特徴とする。
【００１４】
この照明装置において、エリア毎の明るさを検知する検知部を備え、検知部は、エリア毎に、光源部が照射する光による第１の明るさと、周辺光による第２の明るさとの和を検出し、この検出結果を演算部に出力することが好ましい。
【００１５】
この照明装置において、エリア毎の明るさを検知する検知部と、光源部が照射する光のみによるエリア毎の第１の明るさのデータを格納する記憶部とを備え、検知部は、周辺光のみによるエリア毎の第２の明るさを検知して演算部に出力し、演算部は、検知部の検知結果と、記憶部に格納されたデータとに基づいて、エリア毎に、光源部が照射する光による第１の明るさと、周辺光による第２の明るさとの和を導出することが好ましい。
【００１６】
この照明装置において、光源部は、色温度が高い高色温度光源と、高色温度光源に対して色温度が低い低色温度光源とで構成されており、制御部は、演算部の演算結果に基づいて、高色温度光源および低色温度光源を調光制御することによって、光源部が照射する光の波長構成を制御することが好ましい。
【００１７】
この照明装置において、光源部は、色温度が高い高色温度光源と、高色温度光源に対して色温度が低い低色温度光源とで構成されており、制御部は、演算部の演算結果に基づいて、高色温度光源と低色温度光源とのうち、いずれか一方のみを点灯させることで、光源部が照射する光の波長構成を制御することが好ましい。
【００１８】
この照明装置において、光源部は、複数の高色温度光源と、複数の低色温度光源とで構成されており、高色温度光源と低色温度光源とが交互に実装されているが好ましい。
【００１９】
この照明装置において、照明部は、光源部が実装される実装面を有しており、実装面は、曲面に形成されていることが好ましい。
【発明の効果】
【００２０】
以上説明したように、本発明では、光源の全照射範囲にわたって、人間の視感度に合った光を照射し、光源点灯後の視認性を向上することができるという効果がある。
【図面の簡単な説明】
【００２１】
【図１】本発明の実施形態１の照明装置のブロック構成図を示す図である。
【図２】同上の光源部のＬＥＤが照射する光の分光強度をグラフである。
【図３】（ａ）同上の照明部の照射範囲を示す概略図である。（ｂ）各エリアにおける検知部の検知結果を示すグラフである。
【図４】各エリアの順応輝度を示すグラフである。
【図５】同上の制御を示すフローチャートである。
【図６】同上の光源部が照射する光の分光強度を示すグラフである。
【図７】（ａ）高色温度ＬＥＤおよび低色温度ＬＥＤが照射する光の分光強度をグラフである。（ｂ）高色温度ＬＥＤおよび低色温度ＬＥＤが照射する光の特性を示す表である。
【図８】高色温度ＬＥＤおよび低色温度ＬＥＤの外観を示す概略図である。
【図９】（ａ）実装面が球面で形成された器具本体の外観を示す概略図である。（ｂ）実装面が平面で形成された器具本体の外観を示す概略図である。
【図１０】（ａ）高色温度ＬＥＤおよび低色温度ＬＥＤの実装配置を示す概略図である。（ｂ）各エリアに照射される光の分布を示す概略図である。
【図１１】（ａ）高色温度ＬＥＤおよび低色温度ＬＥＤの実装配置を示す概略図である。（ｂ）各エリアに照射される光の分布を示す概略図である。
【図１２】街路灯の概略構成図である。
【図１３】（ａ）器具本体の概略構成図である。（ｂ）フォトダイオードの配置を示す概略図である。
【図１４】検知部の概略構成を示す図である。
【図１５】検知部の概略構成を示す図である。
【図１６】視感度特性を示すグラフである。
【発明を実施するための形態】
【００２２】
以下、本発明の実施の形態を図面に基づいて説明する。
【００２３】
（実施形態１）
本実施形態の照明装置のブロック構成図を図１に示す。本実施形態の照明装置は、照明部１と検知部２と演算部３と制御部４とで構成されている。
【００２４】
照明部１は、複数の光源部１１で構成されている。本実施形態の光源部１１は、青色ＬＥＤ１２ａと緑色ＬＥＤ１２ｂと赤色ＬＥＤ１２ｃとを各々備えている。図２に各ＬＥＤ１２ａ〜１２ｃの相対分光強度を示す。図２に示すＧ１は青色ＬＥＤ１２ａの分光強度、Ｇ２は緑色ＬＥＤ１２ｂの分光強度、Ｇ３は赤色ＬＥＤ１２ｃの分光強度を示している。また、光源部１１は図示しない点灯回路を備えており、この点灯回路が各ＬＥＤ１２ａ〜１２ｃに供給される点灯電力を制御することで、各ＬＥＤ１２ａ〜１２ｃの出力レベルは可変自在に構成されている。そして、各ＬＥＤ１２ａ〜１２ｃの出力レベルを変動させることで、各ＬＥＤ１２ａ〜１２ｃの混色光の波長構成（分光強度）を光源部１１毎に変動させることができる。なお、本実施形態の光源部１１は、ＬＥＤで構成されているが、ＬＥＤに限定するものではなく、蛍光灯などの放電灯または有機ＥＬなどでもよい。
【００２５】
図３（ａ）に照明部１の照射範囲の概略図を示す。照明部１は、路面５に向かって光を照射する。具体的には、照明部１の照射範囲は複数のエリア５１に分割されており、各光源部１１が各々に対応したエリア５１に光を照射する。本実施形態では、照明部１直下のエリアを５１ａ、照明部１から一方側に離れたエリアを５１ｂ、照明部１から他方側に離れ周辺光６が照射されているエリアを５１ｃとする。そして、エリア５１ａに光を照射する光源部を１１ａ、エリア５１ｂに光を照射する光源部を１１ｂ、エリア５１ｃに光を照射する光源部を１１ｃとして以下説明する。図４に、照明部１の照射範囲における明るさ（順応輝度）の分布図を示す。図４に示すＬ１は周辺光６のみによる順応輝度（第２の明るさ）、Ｌ２は照明部１のみによる順応輝度（第１の明るさ）、Ｌ３は周辺光６と照明部１との順応輝度の和を示している。なお、周辺光６とは、太陽光や他の照明器具による光などであり、照明部１が照射する光以外の光を示す。
【００２６】
検知部２は、各エリア５１の明るさを検知する。検知部２は、フォトダイオードや、路面５の輝度を検知する画像センサまたは、路面５に設置した照度センサ等で構成されており、各エリア５１の順応輝度（背景輝度）または照度を検知して、検知結果を演算部３に出力する。本実施形態の検知部２は、各エリア５１における照明部１が照射する光による順応輝度（図４のＬ２参照）と、周辺光６による順応輝度（図４のＬ１参照）との和（図４のＬ３参照）を演算部３に出力する。
【００２７】
図３（ｂ）に、エリア５１毎における検知部２の検知結果を示す。エリア５１ａは、照明部１の直下であり順応輝度が最も高く、２０ｃｄ／ｍ２となっている。エリア５１ｂは、照明部１から離れているため順応輝度が低く、０．５ｃｄ／ｍ２となっている。エリア５１ｃは、照明部１から離れているが、周辺光６が照射されているため順応輝度が高く、１３ｃｄ／ｍ２となっている。
【００２８】
演算部３は、マイクロコンピュータ等で構成されており、各エリア５１に存在する人間の目の順応状態（以降、エリア５１の順応状態と称す）を、検知部２の検知結果から判断する。本実施形態の演算部３は、各エリア５１の順応状態（明所視，薄明視）を判断するために順応閾値を用いている。順応閾値は、１０ｃｄ／ｍ２に設定されており、演算部３は１０ｃｄ／ｍ２以上を明所視、１０ｃｄ／ｍ２未満を薄明視と判断する。
【００２９】
そして、演算部３は、各エリア５１の順応状態から、各エリア５１の視感度に合わせた光の波長構成を演算する。演算部３は、光源部１１が照射する光の強度（各ＬＥＤ１２ａ〜１２ｃの出力レベルの和）を一定とし、各ＬＥＤ１２ａ〜１２ｃの出力比を変動させることで、光源部１１が照射する光の波長構成を変動させる。そこで、演算部３は、各エリア５１に対応した光源部１１毎のＬＥＤ１２ａ〜１２ｃの出力比を、各エリア５１の順応状態から導出する。そして、演算部３は導出した各光源部１１の各ＬＥＤ１２ａ〜１２ｃの出力比（波長構成）を制御部４に出力する。本実施形態では、演算部３が明所視と判断した場合、演算部３は各ＬＥＤ１２ａ〜１２ｃの出力比を青：緑：赤＝１．０：１．０：１．０と設定する。以降、各ＬＥＤ１２ａ〜１２ｃの出力比が青：緑：赤＝１．０：１．０：１．０である場合、明所視モードと称す。一方、演算部３が薄明視と判断した場合、演算部３は各ＬＥＤ１２ａ〜１２ｃの出力比を青：緑：赤＝１．０：１．４：０．６と設定する。以降、各ＬＥＤ１２ａ〜１２ｃの出力比が青：緑：赤＝１．０：１．４：０．６である場合、薄明視モードと称す。
【００３０】
制御部４は、照明装置を駆動させる電源部および、各光源部１１の各ＬＥＤ１２ａ〜１２ｃの出力レベルを制御する出力制御部を備えている。そして、制御部４は、演算部３が設定した波長構成に基づき、光源部１１の各ＬＥＤ１２ａ〜１２ｃの出力レベルを制御することで、光源部１１が照射する光の波長構成を制御する。
【００３１】
図６に光源部１１が照射する光（各ＬＥＤ１２ａ〜１２ｃの混色光）の分光強度を示す。図６のＧ４は光源部１１を明所視モードで点灯させた場合の分光強度を示し、Ｇ５は光源部１１を薄明視モードで点灯させた場合の分光強度を示す。図６に示すように、薄明視モードで光源部１１が照射する光（Ｇ５）は、明所視モードで光源部１１が照射する光（Ｇ４）に比べて、長波長成分が少なく短波長成分が多い。したがって、順応状態が明所視のエリア５１に、明所視モードで光源部１１が光を照射することによって、人間の目の視感度に合った光となり視認性が向上する。一方、順応状態が薄明視のエリア５１に、薄明視モードで光源部１１が光を照射することによって、人間の目の視感度に合った光となり視認性が向上する。
【００３２】
次に、図５に示すフローチャートを用いて、本実施形態の照明装置で行われる処理の流れを示す。
【００３３】
本実施形態の照明装置は、まず制御部４が照明部１の各光源部１１を明所視モードで点灯させ、各エリア５１を照射する（Ｓ１）。
【００３４】
次に、検知部２が各エリア５１の順応輝度を検知する（Ｓ２）。各光源部１１が各エリア５１を照射した状態で、検知部２は各エリア５１の順応輝度を検出し、検出結果を演算部３に出力する（図４（ｂ）参照）。
【００３５】
次に、演算部３は、検知部２の検知結果から各エリア５１の順応状態を判断する（Ｓ３）。検知部２の検知結果は、図４（ｂ）に示すように、エリア５１ａの順応輝度は２０ｃｄ／ｍ２、エリア５１ｂの順応輝度は０．５ｃｄ／ｍ２、エリア５１ｃ順応輝度は１３ｃｄ／ｍ２となっている。また、順応閾値は、１０ｃｄ／ｍ２に設定されている。したがって、演算部３は、エリア５１ａ，５１ｃを明所視と判断し、エリア５１ｂを薄明視と判断する。
【００３６】
そして、演算部３は各エリア５１の順応状態から、そのエリア５１に対応した光源部１１が照射する光の波長構成を演算する。演算部３は、明所視と判断したエリア５１ａ，５１ｃに光を照射する光源部１１ａ，１１ｃの波長構成を明所視モードとする（Ｓ４ａ）。また、薄明視と判断したエリア５１ｂに光を照射する光源部１１ｂの波長構成を薄明視モードとする（Ｓ４ｂ）。
【００３７】
次に、制御部４が、演算部３が導出した波長構成に基づいて、光源部１１が照射する光の波長構成を制御する（Ｓ５ａ，Ｓ５ｂ）制御部４は、光源部１１の波長構成を、この光源部１１が照射するエリア５１に対応した演算部３の導出する波長構成に基づいて変動させる。
【００３８】
本実施形態では、明所視のエリア５１ａ，５１ｃに対応した光源部１１ａ，１１ｃは、既に明所視モードで光を照射しているので、制御部４は光源部１１ａ，１１ｃの明所視モードを維持する。また、薄明視のエリア５１ｂに対応した光源部１１ｂは、制御部４が波長構成を明所視モードから薄明視モードに切り替える。
【００３９】
このように、本実施形態の照明装置は、光源部１１が点灯した状態で、各エリア５１の順応輝度を検知部２が検知し、光源部１１の点灯状態における各エリア５１の視感度に合わせた波長構成を演算部３が導出する。そして、この導出結果に基づいて、このエリア５１に照射する光源部１１の波長構成を制御部４が切り替える。したがって、各エリア５１において、光源部１１の点灯状態における視感度に合わせた光が光源部１１から照射されるので、光源部１１が点灯状態での視認性を向上することができる。さらに、複数のエリア５１毎に順応輝度を検出し、エリア５１毎に照射する光の波長構成を切り替えるので、全照射範囲にわたって視認性を向上することができる。
【００４０】
また、本実施形態では複数のエリア５１の中からエリア５１ａ〜５１ｃを選択して説明したが、他のエリア５１についても、上記と同様の制御が行われる。
【００４１】
また、本実施形態では、明所視モードで光源部１１を点灯させた状態で、各エリア５１の順応輝度を検出しているが、薄明視モードで光源部１１を点灯させた状態で各エリア５１の順応輝度を検出してもよい。また、各エリア５１の順応輝度に基づいて視感度に合わせた波長構成であれば、上記の各ＬＥＤ１２ａ〜１２ｃの出力比に限定されない。
【００４２】
また、本実施形態では１つの順応閾値を用いて各エリア５１の順応状態を判断しているが、複数の順応閾値を設定して段階的に光の波長構成を切り替えてもよい。例えば、薄明視のエリア５１ｂの順応輝度０．５ｃｄ／ｍ２よりも順応輝度が小さい場合、薄明視モードよりもさらに短波長成分を増加させることで視感度に合った光となる。また、各エリア５１の順応輝度に基づいて、連続的に光の波長構成を変動できるように構成してもよい。
【００４３】
また、本実施形態では、検知部２が照明部１の光と周辺光６とによるエリア５１毎の順応輝度の和を検出しているが、照明部１を消灯した状態で、検知部２は周辺光６のみによる各エリア５１の順応輝度を検出するように構成してもよい（図４のＬ１参照）。その場合、予め図示しない記憶部に、照明部１が照射する光のみによる各エリア５１の順応輝度のデータを格納しておく（図４のＬ２参照）。そして、演算部が検知部２の検知結果と、記憶部に格納された順応輝度のデータとを足し合わせ、各エリア５１における順応輝度を予測演算して導出してもよい（図４のＬ３参照）。
【００４４】
（実施形態２）
本実施形態の光源部１１は、２種類のＬＥＤで構成されている。実施形態１の光源部１１は、青色ＬＥＤ１２ａと緑色ＬＥＤ１２ｂと赤色ＬＥＤ１２ｃとの３種類のＬＥＤで構成され、その混色光をエリア５１毎に照射していた。しかし、本実施形態の光源部１１は、高色温度ＬＥＤ１２ｄと低色温度ＬＥＤ１２ｅとの２種類のＬＥＤで構成され、高色温度ＬＥＤ１２ｄと低色温度ＬＥＤ１２ｅとのうち、いずれか一方のみを点灯させ、エリア５１毎に照射する。なお、他の構成は、実施形態１と同様であるので、同一符号を付して説明は省略する。
【００４５】
図７（ａ）に高色温度ＬＥＤ１２ｄおよび低色温度ＬＥＤ１２ｅの相対分光強度を示す。図７（ａ）に示すＧ６は高色温度ＬＥＤ１２ｄの分光強度、Ｇ７は低色温度ＬＥＤ１２ｅの分光強度を示している。また、図７（ｂ）に示すように、高色温度ＬＥＤ１２ｄが照射する光は、色度座標がｘ＝０．２９１２，ｙ＝０．２９２１、相関色温度が８７４０Ｋ、偏差がＤＵＶ＝−４．４８である。一方、低色温度ＬＥＤ１２ｅが照射する光は、色度座標がｘ＝０．３１４１，ｙ＝０．３３４３、相関色温度が６３９４Ｋ、偏差がＤＵＶ＝５．２０である。上記に示すように、高色温度ＬＥＤ１２ｄは短波長成分を多く含んでおり、色温度が高い。一方、低色温度ＬＥＤ１２ｅは高色温度ＬＥＤ１２ｄに対して色温度が低い。すなわち、高色温度ＬＥＤ１２ｄを点灯させた場合は、薄明視に適した視環境となり、低色温度ＬＥＤ１２ｅを点灯させた場合は、明所視に適した視環境となる。
【００４６】
本実施形態では、初期状態として高色温度ＬＥＤ１２ｄのみを点灯させ、薄明視に合わせている。そして、検知部２が各エリア５１の明るさを検知する。検知部２の検知結果が、実施形態１と同一であるとして、以下説明する（図３（ａ）（ｂ）参照）。
【００４７】
演算部３は、明所視と判断したエリア５１ａ，５１ｃに照射する光源部１１ａ，１１ｃの波長構成を明所視に合わせるために、高色温度ＬＥＤ１２ｄの消灯、低色温度ＬＥＤ１２ｅの点灯を制御部４に指示する。そして、制御部４がエリア５１ａ，５１ｃに照射する光源部１１ａ，１１ｃの高色温度ＬＥＤ１２ｄを消灯し、低色温度ＬＥＤ１２ｅを点灯させる。それによって、エリア５１ａ，５１ｃに照射される光の色温度が低く、明所視における視感度に合った光となり、視認性が向上する。
【００４８】
一方、初期状態で薄明視に合わせた光を照射しているので、演算部３は、薄明視と判断したエリア５１ｂに照射する光源部１１ｂの低色温度ＬＥＤ１２ｅの点灯状態を維持させる。したがって、エリア５１ｂに照射される光の色温度が高く、薄明視における視感度に合った光となり、視認性が向上する。
【００４９】
本実施形態では、各エリア５１における目の順応状態に応じて、視感度の高いほうのＬＥＤ１２ｄ，１２ｅを点灯させることで、同じエネルギー量で、視認性の高い光環境を実現することができる。さらに、本実施形態では、２つのＬＥＤ１２ｄ，１２ｅの点灯／消灯の切り替えのみでエリア５１毎に照射する光の波長構成を変動させることができるので、制御が容易となる。
【００５０】
なお、本実施形態では、高色温度ＬＥＤ１２ｄを点灯させた状態で各エリア５１の順応輝度を検出しているが、低色温度ＬＥＤ１２ｅを点灯させた状態で各エリア５１の順応輝度を検出してもよい。また、エリア５１毎に異なるＬＥＤ１２ｄ，１２ｅを点灯させた状態で各エリア５１の順応輝度を検出してもよい。
【００５１】
次に、照明部１の構造について説明する。
【００５２】
図８にＬＥＤ１２ｄ，１２ｅの概略図、図９（ａ）にＬＥＤ１２ｄ，１２ｅが設けられた照明部１の概略図を示す。
【００５３】
本実施形態の高色温度ＬＥＤ１２ｄ，低色温度ＬＥＤ１２ｅは、図８に示すように、略半球状に形成されており、底面側から球面側に向かって光を照射する。また、照明部１は、器具本体１３と、器具本体１３に実装されるＬＥＤ１２ｄ，１２ｅとで構成されている。器具本体１３は、図９（ａ）に示すように、半球状に形成され、その球面（曲面）が実装面を構成しており、球面に上記の高色温度ＬＥＤ１２ｄ，低色温度ＬＥＤ１２ｅが実装される。
【００５４】
ＬＥＤ１２ｄ，１２ｅは照射する光の指向性が高いので、もし図９（ｂ）に示すようにＬＥＤ１２ｄ，１２ｅの実装面が平面で形成された器具本体１３ａを用いた場合、照射範囲が限られてしまう。しかし、本実施形態では、実装面が球面で形成された器具本体１３を用いているので、器具本体１３ａに対して同じＬＥＤ１２ｄ，１２ｅの個数を実装した場合でも照射範囲を広げることができる。
【００５５】
次に、照明部１に実装される高色温度ＬＥＤ１２ｄ，低色温度ＬＥＤ１２ｅの具体的な配置について説明する。
【００５６】
図１０（ａ）に路面５から照明部１を見た際の高色温度ＬＥＤ１２ｄ，低色温度ＬＥＤ１２ｅの配置図を示す。なお、図１０（ａ）では、ＬＥＤ１２ｄ，１２ｅの配置を分かりやすくするために、器具本体１３の実装面を平面で示す。
【００５７】
本実施形態の照明部１は、器具本体１３にＬＥＤ１２ｄ，１２ｅが１０行×８列に並べて実装されている。そして、同一の行には同一種類のＬＥＤ１２ｄ，１２ｅが並んで実装され、同一の列には高色温度ＬＥＤ１２ｄと低色温度ＬＥＤ１２ｅとが交互に実装されている。本実施形態では、１行目に低色温度ＬＥＤ１２ｅが実装され、２行目に高色温度ＬＥＤ１２ｄが実装されている。なお、１０行×８列に実装されたＬＥＤ１２ｄ，１２ｅの数は１例であって、１０行×８列に限定するものではなく、他の行数，他の列数で構成されていてもよい。
【００５８】
そして、本実施形態では各列に実装されたＬＥＤ１２ｄ，１２ｅで、１つの光源部１１を構成している。なお、本実施形態では、光源部１１は、１列に実装されたＬＥＤ１２ｄ，１２ｅで構成されているが、１列に限定するものではなく、複数の列をまとめて光源部１１としてもよい。
【００５９】
上記のように器具本体１３にＬＥＤ１２ｄ，１２ｅが実装された照明部１を用いて、各エリア５１を照射した場合における光の分布を図１０（ｂ）に示す。なお、各エリア５１の順応輝度は、実施形態１と同様であるとして以下説明する（図３（ａ）（ｂ）参照）。エリア５１ａ，５１ｃは明所視であるので、低色温度ＬＥＤ１２ｅのみの光が照射され、エリア５１ｂは薄明視であるので、高色温度ＬＥＤ１２ｄのみの光が照射されている。
【００６０】
もし、図１１（ａ）に示すように、器具本体１３の３〜７行目に低色温度ＬＥＤ１２ｅ、１，２行目と８〜１０行目に高色温度ＬＥＤ１２ｄを実装した場合、各エリア５１の光の分布は図１１（ｂ）となる。図１１（ｂ）に示すように、明所視のエリア５１ａ，５１ｃは両端付近に光が照射されず、薄明視のエリア５１ｂは中心付近に光が照射されなくなり、各エリア５１内で光のムラが発生する。しかし、本実施形態では、１行毎に高色温度ＬＥＤ１２ｄと低色温度ＬＥＤ１２ｅとを交互に実装しているので、明所視のエリア５１ａ，５１ｃと薄明視のエリア５１ｂとにおける光のムラを抑制することができ、良好な視環境を実現することができる。
【００６１】
次に、検知部２の構成について説明する。
【００６２】
本実施形態の照明装置は図１２に示すような街路灯であり、路面５に設けられた支柱５２の上部に照明部１が設けられている。そして、器具本体１３の内部に演算部３および制御部４を収納している。そして、図１３（ａ）に示すように、器具本体１３の球面にＬＥＤ１２ｄ，１２ｅが実装され、複数の光源部１１を構成している。
【００６３】
本実施形態の検知部２は、複数のフォトダイオード２１で構成されており、図１３（ｂ）に示すように高色温度ＬＥＤ１２ｄと低色温度ＬＥＤ１２ｅとの間に設けられている。フォトダイオード２１は、ＬＥＤ１２ｄ，１２ｅが照射する光を直接検知せず、路面５の輝度を検知できるようにマスクがかけられている。そして、フォトダイオード２１は、各エリア５１の路面輝度を検知し、検知電流を演算部３に出力する。そして、演算部３は検知電流に基づいて順応状態を判断し、高色温度ＬＥＤ１２ｄまたは低色温度ＬＥＤ１２ｅの点灯を制御部４に指示する。制御部４は、演算部３の指示に基づいて光源部１１毎に高色温度ＬＥＤ１２ｄまたは低色温度ＬＥＤ１２ｅを点灯させる。
【００６４】
また、検知部２は、図１４に示すように、フォトダイオード２２と送信機２３と受信機２４とで構成されていてもよい。フォトダイオード２２と送信機２３とが一体に設けられてセンサ部２５を形成しており、送信機２３はフォトダイオード２２の検知電流のデータを受信機２４に送信する。受信機２４は、器具本体１３に収納されており、送信機２３から送信されるフォトダイオード２２の検知電流のデータを受信する。
【００６５】
センサ部２５は各エリア５１の路面５に設置されおり、フォトダイオード２２が各エリア５１の明るさを検知する。そして、その検知電流のデータを送信機２３が受信機２４に送信し、受信機２４は受信した検知電流のデータを演算部３に出力する。以降の制御は、上記と同様なので省略する。
【００６６】
また、検知部２は、図１５に示すように、支柱５２に設けられたカメラ２６で構成されていてもよい。カメラ２６は、各エリア５１を撮像している。そして、演算部３はカメラ２６の撮像データに画像処理を施すことによって、各エリア５１の順応輝度を導出し、各エリア５１の順応状態を判断する。以降の制御は、上記と同様なので省略する。
【符号の説明】
【００６７】
１    照明部
２    検知部
３    演算部
４    制御部
１１  光源部
１２ａ  青色ＬＥＤ
１２ｂ  緑色ＬＥＤ
１２ｃ  赤色ＬＥＤ
【図１】
2012028224.tif 000003
【図２】
2012028224.tif 000004
【図３】
2012028224.tif 000005
【図４】
2012028224.tif 000006
【図５】
2012028224.tif 000007
【図６】
2012028224.tif 000008
【図７】
2012028224.tif 000009
【図８】
2012028224.tif 000010
【図９】
2012028224.tif 000011
【図１０】
2012028224.tif 000012
【図１１】
2012028224.tif 000013
【図１２】
2012028224.tif 000014
【図１３】
2012028224.tif 000015
【図１４】
2012028224.tif 000016
【図１５】
2012028224.tif 000017
【図１６】
2012028224.tif 000018